(57)【要約】【課題】  塗料固形分沈殿、凝固を防止し、固形分と溶剤とを万辺無く混合を可能とした塗料の撹拌装置を提供する。【解決手段】  有底円筒形の塗料タンク４の中に配設されて塗料タンク４内を上下室５、６に区分し、かつ塗料タンク４の内周壁面との間に塗料が流動可能な隙間を有した円盤状の隔壁板１と、この隔壁板１を回転並びに上下動するためのモータ及びシリンダとからなる駆動装置２と、隔壁板１の上面及び下面に隔壁板の回転中心から放射状に設けた複数のフィン７ａ、７ｂと、複数のフィン７ａ、７ｂ間の隔壁板１に開設した複数の塗料流動孔９と、この複数の塗料流動孔９の上面あるいは下面に一端を隔壁板に支持され前記塗料流動孔９を開閉する弾性材よりなる弁板１０とから構成した。【選択図】        図４
2006346547.tif 000002
【特許請求の範囲】
【請求項１】
有底円筒形の塗料タンクの中に配設されて前記塗料タンク内を上下室に区分し、かつ塗料タンクの内周壁面との間に塗料が流動可能な隙間を有した円盤状の隔壁板と、この隔壁板を回転並びに上下動するためのモータ及びシリンダとからなる駆動装置と、前記隔壁板の上面及び下面に隔壁板の回転中心から放射状に設けた複数のフィンと、前記複数のフィン間の隔壁板に開設した複数の塗料流動孔と、この複数の塗料流動孔の上面あるいは下面に一端を隔壁板に支持され前記塗料流動孔を開閉する弾性材よりなる弁板とから構成されていることを特徴とする塗料の撹拌装置。
【発明の詳細な説明】
【技術分野】
【０００１】
本発明は、塗料固形分沈殿、凝固を防止した塗料の撹拌装置に関するものである。
【背景技術】
【０００２】
自動車用塗料は着色のための固形分と、それを液状噴霧化し塗布するためのシンナー等の溶剤の希釈材料が混合された液状の塗料で形成されている。
【０００３】
この液状の塗料は、流動がない状態では固形分が固まり易く、塗装したときにその原因で塗装ブツ等の塗装欠陥に至るため、それを防止するために回転するインペラの撹拌装置を装備した塗料タンク内で液状の塗料を絶えずかき混ぜている。
【０００４】
しかしながら、インペラーは塗料タンク内の底部の一定位置で回転しているため、インペラーの直下は液状の塗料の流動がなく、そのため、塗料タンクの底部に固形分が沈殿し易く、これが凝固する問題がある。
【特許文献１】特開平０７−２５６１９７公報
【特許文献２】特開平０８−２６６９８５公報
【発明の開示】
【発明が解決しようとする課題】
【０００５】
本発明の目的は、塗料固形分沈殿、凝固を防止し、固形分と溶剤とを万辺無く混合を可能とした塗料の撹拌装置を提供することである。
【課題を解決するための手段】
【０００６】
上記の目的を達成するための本発明は、請求項１に記載の通り、有底円筒形の塗料タンクの中に配設されて前記塗料タンク内を上下室に区分し、かつ塗料タンクの内周壁面との間に塗料が流動可能な隙間を有した円盤状の隔壁板と、この隔壁板を回転並びに上下動するためのモータ及びシリンダとからなる駆動装置と、前記隔壁板の上面及び下面に隔壁板の回転中心から放射状に設けた複数のフィンと、前記複数のフィン間の隔壁板に開設した複数の塗料流動孔と、この複数の塗料流動孔の上面あるいは下面に一端を隔壁板に支持され前記塗料流動孔を開閉する弾性材よりなる弁板とから構成されていることを特徴とするものである。
【発明の効果】
【０００７】
本発明によると、塗料タンク内で隔壁板が回転し、かつ上下動することにより、液状の塗料をフィンによってかき混ぜると共に、塗料流動孔の弁板を開閉して塗料流動孔より隔壁板で塗料タンク内を区分した上下室に液状の塗料の流れを生成し、複雑な液状の塗料のぶつかり合いにより塗料が一個所に留まることがなく、塗料固形分沈殿、凝固を防止し、固形分と溶剤とを万辺無く混合することができるという効果を有している。
【発明を実施するための最良の形態】
【０００８】
以下本発明を実施するための最良の形態について図面に基づいて説明する。図１において、１は円盤状の隔壁板である。この隔壁板１は図４、図５で示すように、蓋付で有底円筒形の前記塗料タンク４内を上室５と下室６に区分し、かつ塗料タンク４の内周壁面との間に塗料が流動可能な隙間を有して塗料タンク４の中に配設され、この隔壁板１は前記塗料タンク４内で回転並びに上下動するためのモータ及びシリンダとからなる駆動装置２と回転軸３を介して結合している。
【０００９】
前記隔壁板１には、その上面及び下面に複数の上フィン７ａ及び下フィン７ｂが隔壁板１の回転中心から放射状に設けられている。この上フィン７ａ及び下フィン７ｂの隔壁板１への取り付けは、図２で示すように、例えば、リベット８等で上フィン７ａ及び下フィン７ｂの両者を固定する。
【００１０】
さらに、上記複数の上フィン７ａ及び下フィン７ｂ間の隔壁板１に複数の塗料流動孔９が開設されており、この複数の塗料流動孔９の上面あるいは下面に図３で示すようにリベット１１等で一端を隔壁板１に支持され前記塗料流動孔９を開閉する弾性材よりなる弁板１０が取り付けられている。つまり、前記弁板１０は、例えば、複数の塗料流動孔９の交互に上面と下面に取り付けられる。
【００１１】
本発明は上記の通りの構造であるから、隔壁板１はモータ及びシリンダとからなる駆動装置２により前記塗料タンク４内で回転し、かつストロークＳで上下動する。隔壁板１が下降時には図４で示すように、塗料流動孔９の下面に取り付けられている弁板１０は塗料流動孔９を閉じており、塗料流動孔９の上面に取り付けられている弁板１０は塗料流動孔９を開放状態となる。
【００１２】
このような隔壁板１の回転と下降状態では、塗料タンク４内の塗料液は上フィン７ａ及び下フィン７ｂによる回転方向の流れと弁板１０を開いている塗料流動孔９および塗料タンク４と隔壁板１の外周との隙間からの上室５方向の流れが生じ、複雑な液状の塗料のぶつかり合いにより塗料が一個所に留まることがなく、塗料固形分沈殿、凝固を防止し、固形分と溶剤とを万辺無く混合する。
【００１３】
また、図５で示すように隔壁板１の回転と上昇状態では、塗料タンク４内の塗料液は上フィン７ａ及び下フィン７ｂによる回転方向の流れと弁板１０を開いている塗料流動孔９および塗料タンク４と隔壁板１の外周との隙間からの下室５方向の流れが生じ、複雑な液状の塗料のぶつかり合いにより塗料が一個所に留まることがなく、塗料固形分沈殿、凝固を防止し、固形分と溶剤とを万辺無く混合する。
【００１４】
従って、本発明では上記の作用により塗料タンク４の底部に固形分が沈殿し、これが固化し、これによる塗料ブツ発生をする従来装置の問題点を解消するものである。
【００１５】
尚、本発明装置に用いる塗料は自動車用塗料に限定されるものではなく、家電製品その他着色塗料により塗装するものに広く適用可能である。
【図面の簡単な説明】
【００１６】
【図１】本発明装置の塗料タンク内に配設される隔壁板の斜視図
【図２】図１のＡ−Ａ断面図
【図３】図１のＢ−Ｂ断面図
【図４】隔壁板の下降状態を示す塗料タンクの断面図
【図５】隔壁板の上昇状態を示す塗料タンクの断面図
【符号の説明】
【００１７】
１    隔壁板
２    駆動装置
３    回転軸
４    塗料タンク
５    上室
６    下室
７ａ  上フィン
７ｂ  下フィン
８    リベット
９    塗料流動孔
１０    弁板
１１    リベット
【図１】
2006346547.tif 000003
【図２】
2006346547.tif 000004
【図３】
2006346547.tif 000005
【図４】
2006346547.tif 000006
【図５】
2006346547.tif 000007